(57)【特許請求の範囲】
【請求項１】
少なくとも１つの係合部分を有し且つユーザによって運ばれるカメラのための、前記カメラの係合部分と結合するためのシステムであって、前記システムは、
第１のカメラストラップ部分と第２のカメラストラップ部分を有する細長いカメラストラップを含み、前記第２のカメラストラップ部分は、ユーザの肩上に位置決めされ、且つユーザの肩から腰に向かって下方に延びるように寸法決めされており、前記第１のカメラストラップ部分は、前記第２のカメラストラップ部分からユーザの腰に向かって下方に延びるように寸法決めされ、前記第２のカメラストラップ部分は前記第２のカメラストラップ端部分を有し、
第１の結合具部分と第２の結合具部分を有する結合具を含み、前記第１の結合具部分は、前記カメラの係合部分と係合するような寸法形状のものであり、前記第２の結合具部分は、前記第１のカメラストラップ部分と摺動可能に係合し、且つ前記第１のカメラストラップ部分の長さに沿って摺動するような寸法形状のものであり、
孔を備えた内部領域及び外部を有するエンクロージャを含み、前記第２のカメラストラップ端部分は、前記エンクロージャの外部に取り付けられ、前記第１のカメラストラップ部分は、前記エンクロージャ内にカメラを位置決めするために前記エンクロージャの前記孔に向かって延び、
第１のショルダストラップ端部分及び第２のショルダストラップ端部分を有しているショルダストラップを含み、前記第２のショルダストラップ端部分は、前記エンクロージャの外部に取り付けられ、前記第１のショルダストラップ端部分は、前記エンクロージャの外部に取り付けられ、前記第１のショルダストラップ端部分は、前記孔のより近くに取り付けられ、前記第２のショルダストラップ端部分は、前記孔からより遠くに取り付けられていることを特徴とするシステム。
【請求項２】
前記第２のカメラストラップ端部分は、前記ショルダストラップの前記第２のショルダストラップ端部分に隣接して前記ショルダストラップに取付けられる、請求項１に記載のシステム。
【請求項３】
スタンドの係合部分を受け入れるように各々構成された少なくとも１つの係合部分を有するカメラのための、前記カメラの係合部分と結合するためのシステムであって、前記システムは、
第１のカメラストラップ端部分を有しているカメラストラップと、
第１の結合具部分と第２の結合具部分を有する結合具とを有し、前記第１の結合具部分は、前記カメラの係合部分と係合するような寸法形状のものであり、前記第２の結合具部分は、前記カメラストラップと係合するような寸法形状のものであり、
孔を備えた内部領域と外部を有するエンクロージャを有し、
第１のショルダストラップ端部分と第２のショルダストラップ端部分を有するショルダストラップを有し、前記第２のショルダストラップ端部分は、前記エンクロージャの外部に取り付けられ、前記第１のショルダストラップ端部分は、前記孔のより近くに取り付けられ、前記第２のショルダストラップ端部分は、前記孔からより遠くに取り付けられ、前記第１のカメラストラップ端部分は、前記内部領域の内側で前記エンクロージャに取り付けられている、システム。
【請求項４】
前記第２の結合具部分は、前記カメラストラップと摺動可能に係合するように構成されている、請求項３に記載のシステム。
【請求項５】
前記カメラストラップは、前記第２のショルダストラップ端部分に隣接して前記ショルダストラップに取り付けられた第２のカメラストラップ端部分を有する、請求項４に記載のシステム。
【請求項６】
前記エンクロージャは、前記孔を覆う覆いを更に含む、請求項５に記載のシステム。
【請求項７】
前記カメラストラップは、前記内部領域の内側以外に取り付けられた第２のカメラストラップ端部分を有する、請求項３に記載のシステム。
【請求項８】
前記第２のカメラストラップ端部分は、前記第２のショルダストラップ端部分に隣接した箇所で前記エンクロージャの外部に取り付けられる、請求項７に記載のシステム。
【請求項９】
スタンドの係合部分を受け入れるよう構成された少なくとも１つのスタンド用ソケットを備えたカメラのための、カメラの前記スタンド用ソケットに結合可能なシステムであって、
ユーザの人間の胴の周りに少なくとも部分的に延びるように寸法決めされたループをともに形成する第１のカメラストラップ部分と第２のカメラストラップ部分を有する細長いカメラストラップであって、前記第２のカメラストラップ部分は、ユーザの肩上に位置決めされるように寸法決めされ、且つ前記第１のカメラストラップ部分は、ユーザの腰に向かってユーザの前側の前記第２のカメラストラップ部分から下方に延び且つ底部ループ部分を形成するように寸法決めされ、前記ループは、ユーザの肩から吊り下げられ、前記第２のカメラストラップ部分がユーザの肩上に位置決めされるとき、底部ループ部分がユーザの腰に対して自由に移動できる、細長いカメラストラップと、
第１の結合具部分及び第２の結合具部分を備えた結合具とを有し、前記第１の結合具部分は、前記カメラの前記スタンド用ソケットに係合するような寸法形状のものであり、前記第２の結合具部分は、前記第１のカメラストラップ部分と摺動可能に係合し且つ前記第１のカメラストラップ部分の長さに沿って摺動するような寸法形状のものであり、前記第１の結合具部分は、第１の剛性取り付け部分と、前記第１の結合具部分の第１の剛性取り付け部分に直接係合する第２の剛性取り付け部分とを有し、前記第１の結合具部分の第１の剛性取り付け部分は、前記カメラに取り付けられたとき、前記カメラが持ち上げられた写真撮影位置と下げられた搬送位置との間で移動されるときに、前記第１の結合具部分の第１の剛性取り付け部分が前記カメラに対して静止して保持されるように、前記カメラのスタンド用ソケットと係合解除可能に且つ剛性に直接係合するような寸法形状のものであり、前記第２の結合具部分は、第１の剛性取り付け部分と、第２の剛性取り付け部分とを有し、前記第２の結合具部分の第１の剛性取り付け部分は、前記第１のカメラストラップ部分に摺動可能に係合し、前記第２の結合具部分の第２の剛性取り付け部分と前記第１の結合具部分の第２の剛性取り付け部分とは結合解除可能に互いに結合され、前記カメラが、前記第２の結合具部分の第１の剛性取り付け部分が前記底部ループ部分から上方に離れるように移動されるときに到達可能な前記カメラが持ち上げられた写真撮影位置と、前記第２の結合具部分の第１の剛性取り付け部分が前記底部ループ部分へ下方に移動されるときに到達可能な前記下げられた搬送位置と、の間で移動されるときに、ユーザの前側の前記第１のカメラストラップ部分は、ユーザが前記第２の結合具部分の第１の剛性取り付け部分をユーザの前側において前記第１のカメラストラップ部分に沿って自由に移動できるように十分に長く妨げるものを有していないストラップ部分であり、カメラが、前記第２のカメラストラップ部分がユーザの肩上に位置されるとき、前記カメラストラップによって完全に支持され、且つユーザの腰に対して自由に移動でき、
孔を備えた内部領域と外部を有するエンクロージャを有し、
前記エンクロージャの外部に取り付けられた第１のショルダストラップ端部分と、前記エンクロージャの外部に取り付けられた第２のショルダストラップ端部分とを有するショルダストラップを有し、前記第１のショルダストラップ端部分が、前記孔のより近くに取り付けられ、前記第２のショルダストラップ端部分は、前記孔からより遠くに取り付けられ、前記カメラストラップは、前記内部領域の内側で前記エンクロージャに取り付けられた第１のカメラストラップ端部分を有する、ことを特徴とするシステム。
【請求項１０】
前記カメラストラップは、前記第２のショルダストラップ端部分に隣接して前記ショルダストラップに取り付けられた第２のカメラストラップ端部分を有する、請求項９に記載のシステム。
【請求項１１】
前記エンクロージャは、前記孔を覆う覆いを更に含む、請求項１０に記載のシステム。
【請求項１２】
前記第２の結合具部分は、前記第１の結合具部分に 回転可能に係合する、請求項９に記載のシステム。
【請求項１３】
スタンドの係合部分を受け入れるよう構成された少なくとも１つのスタンド用ソケットを備えたカメラのための、カメラの前記スタンド用ソケットに結合可能なシステムであって、
ユーザの人間の胴の周りに少なくとも部分的に延びるように寸法決めされたループをともに形成する第１のカメラストラップ部分と第２のカメラストラップ部分を有する細長いカメラストラップであって、前記第２のカメラストラップ部分は、ユーザの肩上に位置決めされるように寸法決めされ、且つ前記第１のカメラストラップ部分は、ユーザの腰に向かってユーザの前側の前記第２のカメラストラップ部分から下方に延び且つ底部ループ部分を形成するように寸法決めされ、前記ループは、ユーザの肩から吊り下げられ、前記第２のカメラストラップ部分がユーザの肩上に位置決めされるとき、底部ループ部分がユーザの腰に対して自由に移動できる、細長い第１ストラップと、
第１の結合具部分及び第２の結合具部分を備えた結合具とを有し、前記第１の結合具部分は、前記カメラの前記スタンド用ソケットに係合するような寸法形状のものであり、前記第２の結合具部分は、前記第１のカメラストラップ部分と摺動可能に係合し且つ前記第１のカメラストラップ部分の長さに沿って摺動するような寸法形状のものであり、前記第１の結合具部分は、第１の剛性取り付け部分と、前記第１の結合具部分の第１の剛性取り付け部分に直接係合する第２の剛性取り付け部分とを有し、前記第１の結合具部分の第１の剛性取り付け部分は、前記カメラに取り付けられたとき、前記カメラが持ち上げられた写真撮影位置と下げられた搬送位置との間で移動されるときに、前記第１の結合具部分の第１の剛性取り付け部分が前記カメラに対して静止して保持されるように、前記カメラのスタンド用ソケットと係合解除可能に且つ剛性に直接係合するような寸法形状のものであり、前記第２の結合具部分は、第１の剛性取り付け部分と、第２の剛性取り付け部分とを有し、前記第２の結合具部分の第１の剛性取り付け部分は、前記第１のカメラストラップ部分に摺動可能に係合し、前記第２の結合具部分の第２の剛性取り付け部分と前記第１の結合具部分の第２の剛性取り付け部分とは結合解除可能に互いに結合され、前記カメラが、前記第２の結合具部分の第１の剛性取り付け部分が前記底部ループ部分から上方に離れるように移動されるときに到達可能な前記カメラが持ち上げられた写真撮影位置と、前記第２の結合具部分の第１の剛性取り付け部分が前記底部ループ部分へ下方に移動されるときに到達可能な前記下げられた搬送位置と、の間で移動されるときに、ユーザの前側の前記第１のカメラストラップ部分は、ユーザが前記第２の結合具部分の第１の剛性取り付け部分をユーザの前側において前記第１のカメラストラップ部分に沿って自由に移動できるように十分に長く妨げるものを有していないストラップ部分であり、カメラが、前記第２のカメラストラップ部分がユーザの肩上に位置されるとき、前記カメラストラップによって完全に支持され、且つユーザの腰に対して自由に移動でき、
孔を有する内部領域を有するエンクロージャを含み、前記孔は、前記孔を通して前記カメラの通過を可能にするように寸法決めされる一方、前記第１の結合具部分は、前記カメラのスタンド用ソケットと係合し、前記第２の結合具部分は、前記カメラストラップと摺動可能に係合し、前記第２の結合具部分を前記カメラストラップに沿って前記孔に向かって摺動させ、次いで前記カメラを前記エンクロージャの内部領域内に位置決めするために、前記カメラストラップは、前記孔から間隔を隔てられて前記エンクロージャに取り付けられた第２の取付部分と前記孔に向かって延び且つ前記孔の十分近くを通る第１の取付部分を有する、ことを特徴とするシステム。
【請求項１４】
前記カメラストラップの第１の取付部分は、前記孔を通り、前記内部領域の内側で前記エンクロージャに取り付けられる、請求項１３に記載のシステム。
【請求項１５】
前記エンクロージャに取り付けられたショルダストラップを更に含む、請求項１３に記載のシステム。
【発明の詳細な説明】
【技術分野】
【０００１】
本発明は、一般にカメラ用品に関する。
【０００２】
〔関連出願の説明〕
本願は、２００７年４月１７日に出願された米国特許仮出願第６０／９１２，３８２号の優先権主張出願であり、この米国特許仮出願を参照により引用し、その記載内容全体を本明細書の一部とする。
【背景技術】
【０００３】
従来のカメラ収納・持ち運びシステムは、カメラを使用していないときには収納したり持ち運んだりするのに役立つ。
【発明の概要】
【発明が解決しようとする課題】
【０００４】
残念ながら、かかるシステムは、収納されている又は持ち運びされているカメラの取り出しを妨げる場合がある問題というを有し、その結果、撮影の機会を失う場合がある。
【図面の簡単な説明】
【０００５】
【図１】カメラが休息位置にあり、ストラップがユーザの胴を斜めに横切って着用されている状態で示されたカメラ搬送システムの具体的構成例の図である。
【図２】別の休息位置で示された、図１に示されたのと同一のシステムの図である。
【図３】更に別の休息位置で示された、図１に示されたのと同一のシステムの図である。
【図４】カメラが撮影位置にある状態で示された図１のシステムの図である。
【図５】結合具の具体的構成例の分解組立て斜視図である。
【図６】カメラに固定された図５の具体的構成例の斜視図であり、更に、結合具により引き回された状態のストラップを示す図である。
【図７】図６に示された具体的構成例の斜視図であり、システムの全体を示している図である。
【図８】図５に示された具体的構成例の断面図である。
【図９】図６に示された具体的構成例の断面図である。
【図１０】システムに含まれた結合具の別の具体的構成例の分解組立て斜視図である。
【図１１】カメラに固定された図１０の具体的構成例の斜視図であり、更に、結合具により引き回されたストラップを示す図である。
【図１２】図１１の具体的構成例の斜視図であり、システムの全体を示す図である。
【図１３】図１０の具体的構成例の断面図である。
【図１４】図１０の具体的構成例の断面図であり、更に、コネクタの解除機構体の係合状態を示す図である。
【図１５】図１１の具体的構成例の断面図である。
【図１６】結合具の別の具体的構成例の分解組立て斜視図である。
【図１７】カメラに固定された図１６の具体的構成例の斜視図であり、更に、結合具により引き回されたストラップを示す図である。
【図１８】図１６の具体的構成例の斜視図であり、システムの全体を示す図である。
【図１９】図１６の具体的構成例の断面図である。
【図２０】図１７の具体的構成例の断面図である。
【図２１】結合具の別の具体的構成例の分解組立て斜視図である。
【図２２】レンズに固定された図２１の具体的構成例の斜視図であり、更に、結合具により引き回されたストラップを示す図である。
【図２３】図２２の具体的構成例の斜視図であり、システムの全体を示す図である。
【図２４】カメラの従来型ストラップ取り付けループによりカメラに固定された結合具の別の具体的構成例の側面図である。
【図２５】システム全体の別の具体的構成例の斜視図である。
【図２６】システム全体の別の具体的構成例の斜視図であり、更に、つなぎ綱の使い方を示す図である。
【図２７】カメラが休息位置にあり、ストラップがユーザの肩から鉛直に着用されている状態で示されたカメラ搬送システムの具体的構成例の図である。
【図２８】全体が示された図２７の具体的構成例の斜視図である。
【図２９】図２７のシステムの別の具体的構成例の斜視図である。
【図３０】エンクロージャを有するシステムの具体的構成例の斜視図であり、更に、カメラを休息位置で示す図である。
【図３１】図３０の具体的構成例の斜視図であり、カメラが収納位置にあり、エンクロージャカバーが開位置にある状態を示す図である。
【図３２】図３１の具体的構成例の斜視図であり、エンクロージャカバーが閉位置にある状態を示す図である。
【図３３】図３２の具体的構成例の側面図であり、更に、多数の収納コンパートメントを隠れ線で示す図である。
【図３４】図２９の具体的構成例を示す図であるが、結合具を、レンズを利用した従来型の螺合可能なスタンド用ソケットに結合させた状態で示す図である。
【図３５】カメラに結合された結合具の具体的構成例を示す図であり、更に、結合具とカメラとの間に設けられた従来型三脚用取り付け板を示す図である。
【図３６】カメラに結合された結合具の具体的構成例を示す図であり、更に、結合具とレンズとの間に設けられた従来型三脚用取り付け板を示す図である。
【図３７】従来型スタンド用ソケット及び結合具の分解組立て断面図であり、結合具とスタンド用ソケットの間に設けられた別のロック要素を示す図である。
【図３８】図３７の具体的構成例を組み立て状態で示す図であり、ロック要素がスタンド用ソケットと結合具の確実な係合を促進している状態を示す図である。
【図３９】カメラの底部のスタンド係合部分でカメラに結合された三脚の一部分を示す図である。
【発明を実施するための形態】
【０００６】
明細書において説明するように、改良型カメラ搬送システム及び方法は、ストラップ及び結合具を有する。ストラップは、ユーザによって、典型的にはユーザの肩に着用される。結合具は、カメラ取付け箇所に係合するよう構成されており、もしそうでなければカメラスタンド、例えば三脚、一脚等との係合のために使用されないままである。一般的なカメラ構造では、取付け箇所は、カメラの底部に見つけられる。或る具体的構成例では、結合具は、カメラをストラップに沿ってスライドさせることにより、搬送位置から写真撮影位置へのカメラの再位置決めを助けるようストラップに摺動可能に取り付けられる。他の具体的構成例は、使用されていない間、カメラを収納するエンクロージャを有する。
【０００７】
ストラップは、結合具、カメラ及びエンクロージャの保持、支持及び／又は吊り下げのために使用可能である。幾つかの具体的構成例では、物品、例えば電話、フラッシュライト、メモリ、フィルム、電池、鍵、名刺又は他の物品を収納するために、ホルダ、入れ物、パウチ又は他の容器がストラップ内に組み込まれる場合がある。ストラップは、ユーザによって、弾薬帯のように胴を横切って斜めに着用可能であり又は肩から鉛直に着用可能である。ストラップは、その長さ、張力及びフィット具合を調節するための種々のアジャスタを更に有する場合がある。さらに、種々の解除機構体及び締結具が設けられる場合がある。さらに、ユーザのための快適さを促進したりストラップを使用のための適正な場所に更に維持したりするための種々のパッド又は材料がストラップに設けられる場合がある。
【０００８】
具体的構成例では、結合具を用いると、ストラップをカメラ、ビデオカメラ又は画像補足装置に結合し、かくして、装置をユーザに更に固定することができる。結合具は、カメラ又はレンズの従来型の螺合可能なスタンド用ソケット（例えば、三脚又は一脚用のソケット）に係合する螺合可能な要素を備えた第１の部分を有するのが良い。さらに、結合具とカメラ又はレンズとの間に位置していて、カメラ又はレンズへの結合具の確実な係合を促進するのに役立つロックナット又は弾性材料が設けられるのが良い。
【０００９】
結合具は、カメラをストラップの長さに沿って収納又は搬送場所から休息位置に、そして更に撮影位置に動かすことができ、そして再び休息位置又は収納位置に戻すことができるようストラップに摺動可能に係合するカプラのような第２の部分を有するのが良い。さらに、結合具とストラップの迅速な係合及びこれらの係合解除を可能にする追加のコンポーネントが結合具の第１の部分に設けられるのが良い。結合具は、カメラをストラップから離れて距離を置いたところに、かくしてユーザから距離を置いたところに配置するつなぎ綱を有するのが良い。結合具は、ユーザへのカメラの適正な配置並びにシステムの引っかかり又はもつれの防止を促進するように、多数の種々の回転軸線を備えたコンポーネントで構成されるのが良い。
【００１０】
カメラ部品、例えば、カメラレンズ、フラッシュ又は他の補助カメラ部品を使用していないときには保護場所に収納する一方で、かかるカメラ部品を使用のために容易にアクセス可能な状態のままにしておくためのコンパートメントがエンクロージャ内に設けられるのが良い。エンクロージャのコンパートメントは、カメラ装置を安全な環境に包み込むためのクロージャを有するのが良い。カメラ部品にとって安全な環境の実現を促進するため、収納コンパートメントを一部又は全体が弾性材料、クッション入り材料及び／又は耐水性又は耐薬品性材料で作るのが良い。さらに、例えばバックパック、ハンドバッグ又は弾薬帯型バッグに用いられる１本又は２本以上の支持ストラップがエンクロージャ内に設けられるのが良い。支持ストラップは、種々のアジャスタ及び／又は解除機構体を更に有するのが良い。さらに、種々の物品、例えば電話、フラッシュライト、メモリ、フィルム、電池、鍵、名刺又は他の物品を保持すると共にこれらへのアクセスを可能にする入れ物が支持ストラップに設けられるのが良い。
【００１１】
図１に示すように、システム１００は、第１の端部分２０１ａ及び第２の端部分２０１ｂを備えたストラップ２０１を有するのが良い。幾つかの具体的構成例では、ストラップ２０１は、図示のように偏平な断面形状を有し、他の具体的構成例では、ストラップは、例えば長円形及び丸形を含む他の断面形状を有するのが良い。ストラップ２０１は、ループの状態に形成され、ユーザ１０の胴１２にフィットするよう寸法決めされ、弾薬帯のように斜めに着用される。三脚の係合部分を受け入れるよう構成されていて、幾つかの具体的構成例ではスタンド用ソケットとしても知られている係合部分を備えたカメラ１０２が、結合具３００を介してストラップ２０１に摺動可能に、回転可能に、回動可能に且つ解除可能に結合されている。この場合、カメラ１０２は、使用されていないとき、ユーザによって所望される種々の位置でストラップ２０１の第１の端部分２０１ａの近くに安定する（休息する）ことができる。カメラ１０２のかかる休息位置は、レンズ１１２がユーザの横腹から遠ざかる方向に向いた状態（図１に示されている）、ユーザの背後の方に向いた状態（図２に示されている）又はユーザの正面の方に向いた状態（図３に示されている）の、上下逆さまの吊り下げ位置を含むことができる。
【００１２】
システム１００は、図４では、カメラ１０２が上下逆さまの状態でストラップ２０１の第２の端部分２０１ｂの近くに位置する撮影位置にあると共に、写真を撮影するようカメラを持ちやすくするためにユーザ１０によって保持された状態で示されている。結合具３００の第１の具体的構成例が、カメラ１０２によって係合可能に受け入れられるよう図５及び図８に示されている。第１の具体的構成例３０１は、第１の部分３０１ａと孔３０１ｃを備えた第２の部分３０１ｂとを有している。三脚の係合部分を受け入れるよう構成された係合部分１１６（これは、三脚用ソケット又はスタンド用ソケットとも呼ばれている）を備えたカメラ１０２の底部１０４は、結合具３００の第１の具体的構成例３０１の第１の部分３０１ａを螺合可能に受け入れる。ロックナット３１０が、第１の具体的構成例３０１とカメラのスタンド用ソケット１１６の確実な結合を促進するように、結合具の第１の部分３０１ａと螺合する状態で示されている。結合具は、ストラップ２０１（図示されていない）を挿通状態で受け入れる孔３０１ｃを有するよう形作られると共にストラップと摺動可能に係合できる第２の部分３０１ｂを有している。
【００１３】
図６及び図９には、図５の第１の具体的構成例３０１が組み立て状態で、カメラ１０２に結合された状態で示されており、ロックナット３１０が下方に締め付けられており、更に、ストラップ２０１が、第１の具体的構成例３０１の第２の部分３０１ｂの孔３０１ｃによって挿通状態で受け入れられている。
【００１４】
図７は、図５及び図６に示されている第１の具体的構成例３０１がストラップ２０１と摺動可能に係合した孔３０１ｃを有し、更に、カメラのスタンド用ソケット１１６を介してカメラ１０２に結合された状態で、システム１００を示している。
【００１５】
結合具３００の第１の部分３０２ａ及び第２の部分３０２ｂを備えた第２の具体的構成例３０２が、図１０に示されている。スタンド用ソケット１１６を備えたカメラ１０２の底部１０４は、結合具３００の第２の具体的構成例３０２の第１の部分３０２ａを螺合可能に受け入れている。ロックナット３１０が、第２の具体的構成例３０２とカメラのスタンド用ソケット１１６の確実な結合を促進するよう第１の部分３０２ａと螺合する状態で示されている。第２の部分３０２ｂは、ボールロックピン３１２及び孔３０２ｃを有している。孔３０２ｃは、ストラップ２０１を挿通状態で受け入れる（図１１に示されている）と共に、ストラップと摺動可能且つ回動可能に係合できるよう形作られている。第１の部分３０２ａは、第１の部分３０２ａと第２の部分３０２ｂの間の回転可能且つ解除可能な係合を可能にするように、ボールロックピン３１２を受け入れるよう寸法決めされたボールロックソケット３１４を有している。
【００１６】
結合具３００の第２の具体的構成例３０２が、カメラ１０２に結合された状態で図１１に示されており、ロックナット３１０が締め付けられており、更に、ストラップ２０１が、第２の具体的構成例３０２の第２の部分３０２ｂの孔３０２ｃによって受け入れられている。システム１００の引っかかり又はもつれを防ぐのに役立つようにするために、結合具３００の第２の具体的構成例３０２は、軸線３１６回りのストラップ２０１とカメラ１０２の間の回転を可能にし、他方、孔３０２ｃは、軸線３１８回りのストラップとカメラの間の回転を可能にする。
【００１７】
図１２は、図１０及び図１１に示されている第２の具体的構成例３０２がボールロックソケット３１４と係合したボールロックピン３１２を有し、ストラップ２０１と摺動可能に係合した孔３０２ｃを有し、更に、カメラのスタンド用ソケット１１６によりカメラ１０２に結合された状態で、システム１００を示している。
【００１８】
図１０の断面図が、図１３に示され、図１１の断面図が、図１４に示されている。
【００１９】
結合具の更に別の具体的構成例が、図１６及び図２０に示されている。この具体的構成例では、結合具は、カメラ又はレンズの従来型の螺合可能なスタンド用ソケットと結合可能な螺合可能要素と、結合具をスタンド用ソケットに固定するロックナットと、を有している。結合具には、ストラップに係合する一体形結合具を備えたコネクタを受け入れるループが設けられている。この例では、コネクタは、フック型又はカラビナ型のものであり、コネクタと結合具の連結及び切り離しを可能にするゲート型機構体を有し、それにより、ストラップをユーザから取り外すことなく、ユーザからのカメラの取り外しが一段と容易になる。
【００２０】
図１７及び図２０には、結合具がカメラに結合された状態で示されており、コネクタは、結合具に結合され、結合具は、ストラップに係合している。組み立て状態では、コネクタにより、組み立て状態の結合具とカメラが、第１の軸線回りにコネクタ及びストラップに対して回転することができる。フックとループにより、結合具及びカメラは、第２の軸線回りにコネクタ部分及びストラップに対して回転することができる。
【００２１】
図１８は、図１６及び図１７に示されているシステム１００の具体的構成例を全体として示しており、カメラが結合具に結合され、結合具がコネクタを介してストラップに係合している。
【００２２】
図２１には、結合具を従来の螺合可能なスタンド用ソケットに結合する別の具体的構成例が分解組立て状態で示されている。スタンド用ソケットは、レンズに取り付けられ又はこれと一体である。結合具の全ての具体的構成例は、これらがカメラのスタンド用ソケットに結合されるのと同一の仕方でレンズに結合可能である。
【００２３】
図２２は、レンズに結合された図２１の具体的構成例を組み立て状態で示しており、コネクタは、結合具に結合され、結合具は、ストラップに係合している。組み立て状態では、コネクタにより、組み立て状態の結合具とカメラは、第１の軸線回りにコネクタ及びストラップに対して回転することができる。結合具により、組み立て状態のコネクタと結合具とカメラは、第２の軸線回りにストラップに対して回転することができる。
【００２４】
図２３は、図２１及び図２２に示されているシステム１００の具体的構成例を全体として示しており、カメラが結合具に結合され、結合具がコネクタを介してストラップに係合している。
【００２５】
図２４は、結合具をカメラに結合する更に別の具体的構成例を示している。結合具は、カメラの第１の側部及び第２の側部で互いに反対側に位置したカメラの従来型ストラップ取り付けループに結合されている。多数個の留め具が、コネクタをカメラのストラップ取り付けループに取り付けている。
【００２６】
コネクタは、係合状態において留め具をストラップに連結した状態で示されている。この例では、コネクタは、側部解除型のものであるが、任意形式のコネクタであって良く、例えば、ボールロックピン、カラビナ、フック及びループ等であって良い。
【００２７】
図２５は、システム１００の具体的構成例を、ストラップと係合した結合具を有するものとして示している。ストラップは、ユーザを快適にさせることができるクッション入り部分を有するのが良く、かかるストラップは、ストラップをカメラの使用のための適正な場所に維持する摩擦材料を更に利用するのが良い。種々の物品、例えば電話、フラッシュライト、メモリ、フィルム、電池、鍵、名刺又は他の物品を保持すると共にこれらへのアクセスを可能にする様々な入れ物がストラップに設けられるのが良い。ストラップには、その長さ、張力及びフィット具合を調節するための１つ又は２つ以上のアジャスタが更に組み込まれるのが良い。さらに、種々の解除機構体が設けられるのが良く、この例では、サイドレリース（side release）が示されている。
【００２８】
図２６は、システム１００の別の具体的構成例を、カメラをストラップから距離を置いたところに配置する目的で、ストラップと結合具との間に設けられたつなぎ綱を有するものとして示している。これは、ユーザによるカメラの正しい使用を容易にすることができる。つなぎ綱は、ストラップに係合するカプラを更に有するのが良い。
【００２９】
図２７及び図２８に示されているように、システム１００は、ユーザにより肩から鉛直に着用可能であり、カメラは、結合具内に設けられた第１の回転軸線及び第２の回転軸線により可能な所望の位置で安定することができる。
【００３０】
図２９は、図２８に示されたシステム１００の別の具体的構成例を示しており、ストラップは、ユーザを快適にさせることができるクッション入り部分を有し、ストラップを使用上、正しい場所に維持する摩擦材料を更に利用するのが良い。種々の物品、例えば電話、フラッシュライト、メモリ、フィルム、電池、鍵、名刺又は他の物品を保持すると共にこれらへのアクセスを可能にする様々な入れ物がストラップに設けられるのが良い。ストラップには、その長さ、張力及びフィット具合を調節するための１つ又は２つ以上のアジャスタが更に組み込まれるのが良い。さらに、種々の解除機構体が設けられるのが良く、この例では、サイドレリース（側部解除型）が示されている。さらに、ストラップのフィット具合を調節し、更に、ストラップの特性をグライドストラップ（glide strap）から固定ストラップまで変えるスライダが設けられるのが良い。
【００３１】
図３０〜図３３は、システム１００の具体的構成例を、第１の内部４０２、第２の内部４０４及び第３の内部４０６を備えたエンクロージャ４００を有するものとして示しており、これら内部は全て、クロージャ又はカバー４１０によって覆われている。エンクロージャ４００は、カメラ部品、例えばカメラ、レンズ、フラッシュ又は他の補助カメラ部品を使用していないときには保護場所にしまい込む一方で、かかるカメラ部品を使用のために容易にアクセス可能な状態のままにしておくために使用できる。図示のように、ストラップ２０１の第１の端部分２０１ａは、カメラ１０２を第１の内部内に動かすことができるよう（例えば、カメラをストラップ２０１から取り外さないでストラップ２０１に沿って滑らせることによって）第１の内部４０２内に位置決めされている。第１の端部分４１６ａ及び第２の端部分４１６ｂを備えた第２のストラップ４１６が、エンクロージャ４００を肩にかけて着用するために用いられている。ストラップ２０１の第２の端部分２０１ｂは、第２のストラップ４１６の第２の端部分４１６ｂの近くに締結され、その結果、ストラップ２０１は、エンクロージャ４００が着用されている間、第２のストラップの輪郭を辿ることができるようになっている。
【００３２】
クロージャは、スナップ、ジッパ、引きひも、フック及びループ（ベルクロ（Velcro）（登録商標））又はクロージャを閉鎖位置に固定するのに必要と考えられる他のかかる締結具の使用を含むことができる。カメラ部品のための安全な環境を促進するため、収納コンパートメントを部分的に又は全体的に弾性材料、クッション入り材料及び／又は耐水性又は耐薬品性材料で作るのが良い。さらに、例えばバックパック、ハンドバッグ又は弾薬帯型バッグに取り付けられて用いられる１本又は２本以上の支持ストラップがエンクロージャ内に設けられるのが良い。この例では、支持ストラップは、弾薬帯型のものである。支持ストラップは、種々のアジャスタ及び／又は解除機構体（図示せず）を更に有するのが良い。さらに、種々の物品、例えば電話、フラッシュライト、メモリ、フィルム、電池、鍵、名刺又は他の物品を保持すると共にこれらへのアクセスを可能にする入れ物（図示せず）が支持ストラップに設けられるのが良い。さらに、種々の物品をしまい込む補助収納部がエンクロージャ内に設けられるのが良い。
【００３３】
図３１は、図３０のシステム１００の具体的構成例を示しているが、カメラはコンパートメント内の格納場所に位置している。
【００３４】
図３２は、図３１のシステム１００と同一の具体的構成例を示しているが、クロージャは、閉位置にある。
【００３５】
図３３は、図３２のシステム１００の背面図である。種々のカメラ部品を収納する多数のコンパートメント（隠れ線で示されている）が更に示されている。補助収納部も又示されている。
【００３６】
図３４は、図２９の具体的構成例を示す図であるが、結合具を、レンズを利用した従来型の螺合可能なスタンド用ソケットに結合させた状態で示す図である。
【００３７】
図３５は、カメラに結合された結合具の具体的構成例を示す図であり、更に、結合具とカメラとの間に設けられた従来型三脚用取り付け板を示す図である。これにより、結合具は、カメラと接触していない状態のままでいることができ、他方、三脚に取り付け可能に三脚用取り付け板を用いることが依然として可能である。
【００３８】
図３６は、カメラに結合された結合具の具体的構成例を示す図であり、更に、結合具とレンズとの間に設けられた従来型三脚用取り付け板を示す図である。これにより、結合具は、レンズと接触していない状態のままでいることができ、他方、三脚に取り付け可能に三脚用取り付け板を用いることが依然として可能である。
【００３９】
図３７は、従来型スタンド用ソケット及び結合具の分解組立て断面図であり、結合具とスタンド用ソケットの間に設けられた別のロック要素を示す図である。ロック要素は、摩擦材料及び／又は弾性材料で作られるのが良く、これら材料は、更に、圧縮可能な性状を有しても良く、圧縮できない性状を有しても良い。
【００４０】
図３８は、図３７の具体的構成例を組み立て状態で示す図であり、ロック要素がスタンド用ソケットと結合具の確実な係合を促進している状態を示す図である。
【００４１】
図３９は、カメラの底部のスタンド係合部分のところでカメラに結合された三脚の一部分を示す図である。
【００４２】
本発明の実施態様は、次の通りである。
（１）各々がスタンドの係合部分を受け入れるよう構成された少なくとも１つの係合部分を備えたカメラのための、カメラの前記係合部分に結合可能なシステムであって、
第１のストラップと、
第１の部分及び第２の部分を備えた結合具とを有し、前記結合具の前記第１の部分は、前記カメラの前記係合部分に係合するような寸法形状のものであり、前記結合具の前記第２の部分は、前記第１のストラップに係合するような寸法形状のものである、システム。
（２）孔を備えた内部領域及び外部を有するエンクロージャと、
前記エンクロージャの前記外部に取り付けられている第１の端部分及び第２の端部分を備えたショルダストラップとを更に有し、前記ショルダストラップの前記第１の端部分は、前記孔の近くに取り付けられ、前記ショルダストラップの前記第２の端部分は、前記孔から遠くに取り付けられ、前記第１のストラップは、前記内部領域内で前記エンクロージャに取り付けられた第１の端部分を有する、実施態様（１）記載のシステム。
（３）前記結合具の前記第２の部分は、前記第１のストラップに摺動可能に係合するよう構成されている、実施態様（１）記載のシステム。
（４）前記第１のストラップは、前記ショルダストラップの前記第２の端部分に隣接して前記ショルダストラップに取り付けられた第２の端部分を有する、実施態様（３）記載のシステム。
（５）前記エンクロージャは、前記孔を覆う覆いを更に有する、実施態様（４）記載のシステム。
（６）前記結合具の前記第２の部分は、前記結合具の前記第１の部分に回転可能に結合できる、実施態様（１）記載のシステム。
（７）前記第１のストラップは、人間の胴にフィットするよう寸法決めされている、実施態様（１）記載のシステム。
（８）前記第１のストラップは、ループの状態に形成されている、実施態様（１）記載のシステム。
（９）第２のストラップ及びストラップ結合具を更に有し、前記第１のストラップは、前記第１のストラップの結合具を介して前記第２のストラップに係合する、実施態様（１）記載のシステム。
（１０）前記結合具の前記第２の部分は、前記第１のストラップを挿通状態で受け入れるループを有する、実施態様（１）記載のシステム。
（１１）前記結合具の前記第１の部分は、ループを有し、前記結合具の前記第２の部分は、フックを有し、前記第２の部分の前記フックは、前記第１の部分の前記ループに係合するよう形作られている、実施態様（１０）記載のシステム。
（１２）前記ループと前記結合具の前記第２の部分の前記フックは、互いに回転可能に係合する、実施態様（１１）記載のシステム。
（１３）前記結合具の前記第２の部分の前記フックは、安全留め金を有する、実施態様（１２）記載のシステム。
（１４）前記第１のストラップは、偏平な形状を有し、前記ループは、細長い形状を有する、実施態様（１１）記載のシステム。
（１５）前記結合具の前記第２の部分は、前記結合具の前記第１の部分に回転可能に結合できるベースを有し、前記ループは、前記ベースに回動可能に結合されている、実施態様（１１）記載のシステム。
（１６）前記結合具の前記第２の部分は、ボールロックピンを有し、前記結合具の前記第１の部分は、ボールロックソケットを有し、前記ボールロックピンは、前記ボールロックソケットに解除可能に結合できる、実施態様（１１）記載のシステム。
（１７）前記結合具の前記第２の部分は、前記結合具の前記第１の部分に解除可能に結合できる、実施態様（１１）記載のシステム。
（１８）前記カメラの前記係合部分は、スタンド用ソケットであり、前記結合具の前記第１の部分は、前記カメラの前記スタンド用ソケットに係合するような寸法形状のものである、実施態様（１）記載のシステム。
（１９）前記スタンド用ソケットは、ねじ山付きであり、前記結合具の前記第１の部分は、前記スタンド用ソケットに螺合するようねじ山付きである、実施態様（１８）記載のシステム。
【００４３】
（２０）係合部分を有する底部を備えた本体を有するカメラ用のシステムであって、
第１のストラップと、
第１の部分及び第２の部分を備えた結合具とを有し、前記結合具の前記第１の部分は、前記カメラの前記係合部分に係合するような寸法形状のものであり、前記結合具の前記第２の部分は、前記第１のストラップに係合するような寸法形状のものである、システム。
（２１）前記結合具の前記第２の部分は、前記第１のストラップに摺動可能に係合するよう構成されている、実施態様（２０）記載のシステム。
【００４４】
（２２）システムであって、
スタンドの係合部分を受け入れるよう構成された係合部分を備えるカメラと、
第１のストラップと、
第１の部分及び前記第２の部分を備えた結合具とを有し、前記結合具の前記第１の部分は、前記カメラの前記係合部分に係合するよう構成されており、前記結合具の前記第２の部分は、前記第１のストラップに係合するよう構成されている、システム。
（２３）孔を備えた内部領域及び外部を有するエンクロージャと、
前記エンクロージャの前記外部に取り付けられている第１の端部分及び第２の端部分を備えたショルダストラップとを更に有し、前記ショルダストラップの前記第１の端部分は、前記孔の近くに取り付けられ、前記ショルダストラップの前記第２の端部分は、前記孔から遠くに取り付けられ、前記第１のストラップは、前記内部領域内で前記エンクロージャに取り付けられた第１の端部分を有する、実施態様（２２）記載のシステム。
（２４）前記結合具の前記第２の部分は、前記第１のストラップに摺動可能に係合するよう構成されている、実施態様（２２）記載のシステム。
（２５）前記第１のストラップは、前記ショルダストラップの前記第２の端部分に隣接して前記ショルダストラップに取り付けられた第２の端部分を有する、実施態様（２４）記載のシステム。
（２６）前記エンクロージャは、前記孔を覆う覆いを更に有する、実施態様（２４）記載のシステム。
（２７）前記結合具の前記第２の部分は、前記結合具の前記第１の部分に回転可能に結合できる、実施態様（２２）記載のシステム。
（２８）前記第１のストラップは、人間の胴にフィットするよう寸法決めされている、実施態様（２２）記載のシステム。
（２９）前記第１のストラップは、ループの状態に形成されている、実施態様（２２）記載のシステム。
（３０）第２のストラップ及びストラップ結合具を更に有し、前記第１のストラップは、前記第１のストラップの結合具を介して前記第２のストラップに係合する、実施態様（２２）記載のシステム。
（３１）前記結合具の前記第２の部分は、前記第１のストラップを挿通状態で受け入れるループを有する、実施態様（２２）記載のシステム。
（３２）前記結合具の前記第１の部分は、ループを有し、前記結合具の前記第２の部分は、フックを有し、前記第２の部分の前記フックは、前記第１の部分の前記ループに係合するよう形作られている、実施態様（１０）記載のシステム。
（３３）前記ループと前記結合具の前記第２の部分の前記フックは、互いに回転可能に係合する、実施態様（３１）記載のシステム。
（３４）前記結合具の前記第２の部分の前記フックは、安全留め金を有する、実施態様（３１）記載のシステム。
（３５）前記第１のストラップは、偏平な形状を有し、前記ループは、細長い形状を有する、実施態様（３０）記載のシステム。
（３６）前記結合具の前記第２の部分は、前記結合具の前記第１の部分に回転可能に結合できるベースを有し、前記ループは、前記ベースに回動可能に結合されている、実施態様（３０）記載のシステム。
（３７）前記結合具の前記第２の部分は、ボールロックピンを有し、前記結合具の前記第１の部分は、ボールロックソケットを有し、前記ボールロックピンは、前記ボールロックソケットに解除可能に結合できる、実施態様（３０）記載のシステム。
（３８）前記結合具の前記第２の部分は、前記結合具の前記第１の部分に解除可能に結合できる、実施態様（３０）記載のシステム。
（３９）前記カメラの前記係合部分は、スタンド用ソケットであり、前記結合具の前記第１の部分は、前記カメラの前記スタンド用ソケットに係合するような寸法形状のものである、実施態様（２２）記載のシステム。
（４０）前記スタンド用ソケットは、ねじ山付きであり、前記結合具の前記第１の部分は、前記スタンド用ソケットに螺合するようねじ山付きである、実施態様（３０）記載のシステム。
【００４５】
（４１）システムであって、
係合部分を有する底部を備えた本体を有するカメラと、
第１のストラップと、
第１の部分及び第２の部分を備えた結合具とを有し、前記結合具の前記第１の部分は、前記カメラの前記係合部分に係合するように構成され、前記結合具の前記第２の部分は、前記第１のストラップに係合するように構成される、システム。
（４２）前記結合具の前記第２の部分は、前記第１のストラップに摺動可能に係合するよう構成されている、実施態様（４１）記載のシステム。
（４３）システムであって、
スタンドに係合する取り付け箇所を備えたカメラと、
前記カメラに前記取り付け箇所で結合されたストラップとを有する、システム。
（４４）前記カメラは、前記ストラップに摺動可能に取り付けられている、実施態様（４３）記載のシステム。
【００４６】
（４５）方法であって、
スタンド用の取り付け箇所を備えたカメラを用意するステップと、
結合具を前記取り付け箇所に取り付けるステップと、
ストラップを前記結合具に取り付けるステップとを有する、方法。
（４６）前記ストラップ取り付けステップは、前記ストラップを前記結合具に摺動可能に取り付けるステップを含む、実施態様（４５）記載の方法。
（４７）方法であって、
底部及び頂部を備え且つ前記底部に取り付け箇所を有するカメラを用意するステップと、
前記取り付け箇所に結合されたストラップによって前記カメラを人体の肩から上下逆さまの状態で吊り下げるステップと、
前記カメラを前記人体の少なくとも一方の手で掴むステップと、
前記カメラを正しい面が上になった状態に位置決めするステップと、を有する、方法。
（４８）前記カメラの位置決めステップは、前記カメラを前記ストラップに沿って滑らせるステップを含む、実施態様（４７）記載の方法。
【００４７】
（４９）方法であって、
人間の胴の後ろに手を伸ばしてカメラを掴むステップと、
前記カメラを人間の胴の後ろに配置されているエンクロージャから引き出すステップと、
前記カメラを前記エンクロージャに取り付けられているストラップに沿って滑らせて前記カメラを構えるステップとを有する、方法。
【００４８】
（５０）スタンドの係合部分を受け入れるよう構成された１つの係合部分を有するカメラ用のシステムであって、
第１のストラップと、
第１の部分及び第２の部分を備えた結合具であって、前記結合具の前記第１の部分は、前記カメラの前記係合部分に係合するような寸法形状のものであり、前記結合具の前記第２の部分は、前記第１のストラップに係合するような寸法形状の結合具と、
孔を備えた内部領域及び外部を有するエンクロージャと、
前記エンクロージャの前記外部に取り付けられ第１の端部分及び第２の端部分を備えたショルダストラップと、を有し、
前記ショルダストラップの前記第１の端部分は、前記孔の近くに取り付けられ、前記ショルダストラップの前記第２の端部分は、前記孔から遠くに取り付けられ、前記第１のストラップは、前記内部領域内で前記エンクロージャに取り付けられた第１の端部分を有する、システム。
（５１）前記結合具の前記第２の部分は、前記第１のストラップに摺動可能に係合するよう構成されている、実施態様（５０）記載のシステム。
（５２）前記第１のストラップは、前記ショルダストラップの前記第２の端部分に隣接して前記ショルダストラップに取り付けられた第２の端部分を有する、実施態様（５１）記載のシステム。
（５３）前記エンクロージャは、前記孔を覆う覆いを更に有する、実施態様（５０）記載のシステム。
【００４９】
前述の説明より、発明の具体的な構成例が例示の目的で記載されたが、本発明の精神と範囲を逸脱しない範囲で様々な変更が可能であることは理解されよう。したがって、本発明は、請求項に記載されたもの以外には限定されない。
【図１】
0005774644.tif 000002
【図２】
0005774644.tif 000003
【図３】
0005774644.tif 000004
【図４】
0005774644.tif 000005
【図５】
0005774644.tif 000006
【図６】
0005774644.tif 000007
【図７】
0005774644.tif 000008
【図８】
0005774644.tif 000009
【図９】
0005774644.tif 000010
【図１０】
0005774644.tif 000011
【図１１】
0005774644.tif 000012
【図１２】
0005774644.tif 000013
【図１３】
0005774644.tif 000014
【図１４】
0005774644.tif 000015
【図１５】
0005774644.tif 000016
【図１６】
0005774644.tif 000017
【図１７】
0005774644.tif 000018
【図１８】
0005774644.tif 000019
【図１９】
0005774644.tif 000020
【図２０】
0005774644.tif 000021
【図２１】
0005774644.tif 000022
【図２２】
0005774644.tif 000023
【図２３】
0005774644.tif 000024
【図２４】
0005774644.tif 000025
【図２５】
0005774644.tif 000026
【図２６】
0005774644.tif 000027
【図２７】
0005774644.tif 000028
【図２８】
0005774644.tif 000029
【図２９】
0005774644.tif 000030
【図３０】
0005774644.tif 000031
【図３１】
0005774644.tif 000032
【図３２】
0005774644.tif 000033
【図３３】
0005774644.tif 000034
【図３４】
0005774644.tif 000035
【図３５】
0005774644.tif 000036
【図３６】
0005774644.tif 000037
【図３７】
0005774644.tif 000038
【図３８】
0005774644.tif 000039
【図３９】
0005774644.tif 000040